(57)【特許請求の範囲】
【請求項１】
建物の上下のスラブ間に形成された空調対象室に、空気調和機により空調空気を天井に設けた吹出口と還気口を設けて空調空気の給排を可能とするとともに、供給経路の切替により空調空気を天井裏空間に導入して当該天井裏空間に面した上記スラブに蓄熱可能としてなる空気調和システムにおいて、上記天井側還気口が複数設けられ、これらの天井側還気口を開閉可能とするダンパが設置され、
上記空調対象室内の熱負荷に応じて上記ダンパの開閉を制御し、このダンパの開操作を上記空調対象室内の熱負荷の増大に伴い、上記空調機側還気口に近い位置の上記天井側還気口から遠い位置の上記天井側還気口へと、順次切り替える制御装置を設けたことを特徴とする空気調和システム。
【請求項２】
上記天井裏空間には、隣接する天井側還気口間に仕切板が設置されたことを特徴とする請求項１に記載の空気調和システム。
【請求項３】
建物の上下のスラブ間に形成された空調対象室に、空気調和機により空調空気を天井に設けた吹出口と還気口を設けて空調空気の給排を可能とするとともに、供給経路の切替により空調空気を天井裏空間に導入して当該天井裏空間に面した上記スラブに蓄熱可能としてなる空気調和システムにおける蓄熱の放熱制御方法において、
空調対象室の空調開始に際して、上記天井に複数設けられた上記天井側還気口を、時間の経過に伴って、上記空調機側還気口に近い位置の上記天井側還気口から遠い位置の上記天井側還気口へと、順次切り替えて使用することを特徴とする空気調和システムにおける蓄熱の放熱量制御方法。
【請求項４】
上記空調機側還気口を流れる還気の温度に基づき空調対象室内の熱負荷を判定し、この判定結果に基づき使用すべき天井側還気口を決定することを特徴とする請求項３に記載の空気調和システムにおける蓄熱の放熱量制御方法。
【発明の詳細な説明】
【０００１】
【発明の属する技術分野】
本発明は、オフィスビルなどの建物の空調対象室を空気調和する空気調和システム及び空気調和システムにおける蓄熱の放熱量制御方法に係り、特に、建物の躯体であるスラブを蓄熱媒体として利用する躯体蓄熱式の空気調和システム、及び空気調和システムにおける蓄熱の放熱量制御方法に関する。
【０００２】
【従来の技術】
建物の躯体であるスラブを蓄熱媒体として利用する躯体蓄熱式の空気調和システムは、建物の上下のスラブ間に形成された建物空間で、天井により区画された空調対象室へ、空気調和機により空気調和された給気を供給して空調対象室内の温湿度を調整可能とし、また、特に深夜時間帯に、天井により区画された上記建物空間における天井裏空間内に空気調和機から上記給気を供給して、この天井裏空間に面したスラブに蓄熱可能とし、さらに、上述の空調対象室内の空気調和時に、空調対象室内からの還気を、天井に形成された天井側還気口を経て天井裏空間に導き、上記スラブに蓄熱された熱を放熱させて還気に吸収させ、この還気を空気調和機へ還流可能とするものである。
【０００３】
このように、躯体蓄熱式の空気調和システムでは、空調対象室内の空気調和時に、室内からの還気を、スラブに蓄熱された熱の放熱によって温度低下（空気調和機の冷房運転時）させ、または温度上昇（空気調和機の暖房運転時）させて、蓄熱を利用しない場合に比べ、熱負荷の高い時に空気調和機が処理すべき熱負荷を低減することができる。
【０００４】
ところが、上述のような躯体蓄熱式の空気調和システムにあっては、スラブに蓄熱された熱の放熱が適切に制御されていないため、その放熱は成り行きまかせであった。そんな中、このスラブに蓄熱された熱の放熱を制御するものとして、特開平２０００−１３０８０２号公報に記載の発明が提案された。
【０００５】
この公報記載の従来技術は、図５に示すように、建物１００の上下のスラブ１０１間に設けられた建物空間内の天井１０２に２種類の天井側還気口１０３および１０４を設け、一方の天井側還気口１０３が、天井裏空間１０５に配設された天井裏還気ダクト１０６、空調機側還気口１０７、室外還気ダクト１０８を経て空気調和機に接続され、他方の天井側還気口１０４が天井裏空間１０５、空調機側還気口１０９および室外還気ダクト１０８を経て空気調和機に接続されたものである。
なお、図５には、還気設備のみが記載されている。また、この図５中の符号１１１は、第一切替ダンパ、符号１１２は第二切替ダンパである。
【０００６】
このような従来技術では、蓄熱温存モードと蓄熱利用運転モードとを選択的に実施して、スラブに蓄熱された熱の放熱量を制御できる。
つまり、蓄熱温存モードは、第一切替ダンパ１１１を開操作し、第二切替ダンパ１１２を閉操作して、天井１０２の下方の空調対象室１１０からの還気を天井側還気口１０３、天井裏還気ダクト１０６、空調機側還気口１０７および室外還気ダクト１０８を経て空気調和機へ、天井裏空間１０５を経ずに直接還流させる運転モードである。この蓄熱温存モードでは、天井裏空間１０５に面したスラブ１０１に蓄熱された熱の放熱が還気に利用されず温存される。
【０００７】
これに対し、蓄熱利用運転モードは、第一切替ダンパ１１１を閉操作し、第二切替ダンパ１１２を開操作して、空調対象室内１１０からの還気を天井側還気口１０４を経て天井裏空間１０５内へ導き、この天井裏空間１０５内でスラブ１０１に蓄熱された熱の放熱を還気に吸収させた後、この還気を、空調機側還気口１０９および室外還気ダクト１０８を経て空気調和機へ還流する運転モードである。この蓄熱利用運転モードは、空調対象室１１０内の熱負荷が高い時に利用される。
【０００８】
【発明が解決しようとする課題】
ところが、図５に示す従来技術では、蓄熱温存モード時に使用される天井裏還気ダクト１０６を天井裏空間１０５に新たに設置しなければならず、天井裏空間１０５の設備が輻湊化し、また施工が困難となって、設備コストの増大を招く。
【０００９】
また、蓄熱温存モードの実施時であっても、天井１０２に複数設けられた天井側還気口１０４を経て天井裏空間１０５内に還気が流入し、この還気が空気調和機へ戻されるため、スラブ１０１に蓄熱された熱を一部利用してしまうことになる。このため、蓄熱利用運転モードの実施時まで、スラブ１０１の蓄熱を温存できない不具合がある。
【００１０】
本発明の目的は、上述の事情を考慮してなされたものであり、ピーク熱負荷時などの熱負荷の高いときに空気調和機が処理すべき熱負荷を低減できる空気調和システム、及び空気調和システムにおける蓄熱の放熱量制御方法を提供することにある。
また、本発明の他の目的は、設備コストの増大を回避できる空気調和システム、及び空気調和システムにおける蓄熱の放熱量制御方法を提供することにある。
【００１１】
【課題を解決するための手段】
上記目的を達成するために、本発明に係る空気調和システムは、建物の上下のスラブ間に形成された空調対象室に、空気調和機により空調空気を天井に設けた吹出口と還気口を設けて空調空気の給排を可能とするとともに、供給経路の切替により空調空気を天井裏空間に導入して当該天井裏空間に面した上記スラブに蓄熱可能としてなる空気調和システムにおいて、上記天井側還気口が複数設けられ、これらの天井側還気口を開閉可能とするダンパが設置され、上記空調対象室内の熱負荷に応じて上記ダンパの開閉を制御し、このダンパの開操作を上記空調対象室内の熱負荷の増大に伴い、上記空調機側還気口に近い位置の上記天井側還気口から遠い位置の上記天井側還気口へと、順次切り替える制御装置を設けたものである。
この場合において、上記天井裏空間には、隣接する天井側還気口間に仕切板を設置するようにすればよい。
【００１２】
本発明に係る空気調和システムにおける蓄熱の放熱制御方法は、建物の上下のスラブ間に形成された空調対象室に、空気調和機により空調空気を天井に設けた吹出口と還気口を設けて空調空気の給排を可能とするとともに、供給経路の切替により空調空気を天井裏空間に導入して当該天井裏空間に面した上記スラブに蓄熱可能としてなる空気調和システムにおける蓄熱の放熱制御方法において、空調対象室の空調開始に際して、上記天井に複数設けられた上記天井側還気口を、時間の経過に伴って、上記空調機側還気口に近い位置の上記天井側還気口から遠い位置の上記天井側還気口へと、順次切り替えて使用するように構成した。上記空調機側還気口を流れる還気の温度に基づき空調対象室内の熱負荷を判定し、この判定結果に基づき使用すべき天井側還気口を決定するようにしてもよい。
【００１３】
上記構成によれば、天井側還気口のダンパの開操作を、空調対象室内の熱負荷の増大に伴い、空調機側還気口に近い位置の天井側還気口から遠い位置の天井側還気口へと順次切り替えることから、天井裏空間に面したスラブを、複数の天井側還気口の配列区間に基づいて区画し、この区画を基準にして、スラブに蓄熱された熱の放熱を実施できる。このため、空調対象室内の熱負荷が低く、スラブからの蓄熱の放熱をそれ程必要としない場合には、スラブのうち空調機側還気口に近い区画に蓄熱された熱の放熱を利用し、また、空調対象室内の熱負荷が高い場合には、スラブの複数の区画に蓄熱された熱の放熱を利用する。これによって、スラブに蓄熱された熱の放熱を効果的に制御できるので、この放熱を特に利用したいピーク熱負荷時などに多くの放熱量を利用でき、この結果、ピーク熱負荷時などの熱負荷の高いときに空気調和機が処理すべき機熱負荷を低減できる。
【００１４】
また、空調対象室内の熱負荷が低く、スラブからの蓄熱の放熱をそれ程必要としない場合に、天井裏空間に配設された専用のダクトを用いて、空調対象室内からの還気を空気調和機へ導く必要がないので、天井裏空間に上記専用のダクトを設置する必要がなく、設備コストの上昇を招くことがない。
【００１５】
特に、天井裏空間に面したスラブに冷熱を蓄熱する場合、この冷熱は天井裏空間内の下層に沈む傾向にある。天井裏空間内において隣接する天井側還気口間に仕切板が設置されたことから、還気が流れている天井側還気口よりも、空調機側還気口に対して遠い位置にある天井側還気口に対応する天井裏空間内の空気は、仕切板の作用で、還気が流れている天井側還気口から空調機側還気口へ向かうその還気に誘引されて混合されることがない。このため、空調機側還気口から遠い位置の天井側還気口を使用する場合に、未だ利用されていない天井裏空間内の冷熱を効果的に利用できるので、このとき空気調和機が処理すべき熱負荷を低減できる。
【００１６】
天井に複数設けられた天井側還気口を、空調対象室内の熱負荷の増大に伴い、空調機側還気口に近い位置の天井側還気口から遠い位置の天井側還気口へと順次切り替えて使用するように構成すれば、天井裏空間に面したスラブを、複数の天井側還気口の配列区間に基づいて区画し、この区画を基準にして、スラブに蓄熱された熱の放熱を実施できる。このため、空調対象室内の熱負荷が低く、スラブからの蓄熱の放熱をそれ程必要としない場合には、スラブのうち空調機側還気口に近い区画に蓄熱された熱の放熱を利用し、また、空調対象室内の熱負荷が高い場合には、スラブの複数の区画に蓄熱された熱の放熱を利用する。これによって、スラブに蓄熱された熱の放熱を効果的に制御できるので、この放熱を特に利用したいピーク熱負荷時などに多くの放熱量を利用でき、この結果、ピーク熱負荷時などの熱負荷の高いときに空気調和機が処理すべき熱負荷を低減できる。
【００１７】
また、空調対象室内の熱負荷が低く、スラブからの蓄熱の放熱をそれ程必要としない場合に、天井裏空間に配設された専用のダクトを用いて、空調対象室内からの還気を空気調和機へ導く必要がないので、天井裏空間に上記専用のダクトを設置する必要がなく、設備コストの上昇を招くことがない。
【００１８】
【発明の実施の形態】
以下、本発明の実施の形態を、図面に基づき説明する。
【Ａ】第一の実施の形態（図１、図２、図３）
図１は本発明に係る空気調和システムの第一の実施形態が適用された躯体蓄熱式の空気調和システムにおける主に給気設備を示す側断面図である。図２は、図１の躯体蓄熱式の空気調和システムにおける還気設備を示す側断面図である。
【００１９】
これらの図１および図２に示すオフィスビルなどの建物１０は、上下のスラブ１１間に形成された建物空間内に天井１２が設けられ、この天井１２により、上記建物空間は空調対象室１３と天井裏空間１４とに区画される。また、この建物１０は、図１に示す給気設備１５と、図２に示す還気設備１６と、制御装置１７とを有し、建物の躯体である上記スラブ１１を蓄熱媒体として機能させる躯体蓄熱式の空気調和システム１８を装備している。
【００２０】
上記給気設備１５は、図１に示すように、天井１２に貫通して複数形成された給気口１９と、建物外１０に設置された空気調和機２０から建物１０の天井裏空間内１４へ延びた給気ダクト２１とを有してなる。この給気ダクト２１に、空気調和機２０にて空気調和された給気を給気口１９へ導入可能な給気部２２と、空気調和機２０にて空気調和された給気を、天井裏空間１４に面したスラブ１１へ吹きつけ可能な吹付け部２３とが設けられる。そして、給気ダクト２１の給気部２２に給気側切替ダンパ２４が、吹付け部２３に吹付け側切替ダンパ２５がそれぞれ開閉可能に配設される。
【００２１】
上記制御装置１７は、空気調和機２０の運転を制御すると共に、給気側切替ダンパ２４および吹付け側切替ダンパ２５の開閉を制御する。給気側切替ダンパ２４の開操作時には吹付け側切替ダンパ２５は閉操作され、吹付け側切替ダンパ２５の開操作時には給気側切替ダンパ２４は閉操作される。
【００２２】
給気側切替ダンパ２４の開操作時に、空気調和機２０により空気調和された空気、つまり空気調和機２０の冷房運転時には冷気、また空気調和機２０の暖房運転時には暖気が、天井１２の給気口１９から空調対象室内１３へ供給されて、この空調対象室内１３の温湿度が調整される。また、吹付け側切替ダンパ２５の開操作時に、天井裏空間１４に面したスラブ１１に、空気調和機２０の冷房運転時には冷熱が、空気調和機２０の暖房運転時には温熱がそれぞれ蓄熱される。この吹付け側切替ダンパ２５の開操作は主に深夜に実施される。
【００２３】
前記還気設備１６は、図２に示すように、天井１２に貫通して複数（例えば３個）設けられた天井側還気口２６Ａ、２６Ｂ、２６Ｃと、各天井側還気口２６Ａ、２６Ｂ、２６Ｃに配設されて、これらの天井側還気口２６Ａ、２６Ｂ、２６Ｃをそれぞれ開または閉操作する還気側切替ダンパ２７Ａ、２７Ｂ、２７Ｃと、天井裏空間１４を臨む建物１０の壁に設けられ、内部に温度センサ２８が配設された空調機側還気口２９と、この空調機側還気口２９と空気調和機２０とを接続し、天井側還気口２６Ａ、２６Ｂ、２６Ｃを経て天井裏空間１４内に導かれた空調対象室１３内の還気を、空調機側還気口２９を経て空気調和機２０へ還流する還気ダクト３０と、を有して構成される。
【００２４】
ここで、上記天井側還気口２６Ａ、２６Ｂ、２６Ｃのうち、天井側還気口２６Ａが空調機側還気口２９にもっとも近く、天井側還気口２６Ｂ、天井側還気口２６Ｃが空調機側還気口２９から順次遠ざかって配置される。
上記空調対象室１３からの還気は、天井裏空間１４内を空調機側還気口２９へ向かって流れる間に、スラブ１１に蓄熱された熱の放熱を吸収して、このスラブ１１から冷熱が放熱される場合に温度低下し、また、スラブ１１から温熱が放熱される場合に温度上昇する。このスラブ１１からの蓄熱の放熱量が、前記制御装置１７による還気側切替ダンパ２７Ａ、２７Ｂ、２７Ｃの開閉操作により制御される。
【００２５】
つまり、制御装置１７は、空調機側還気口２９を流れる還気の温度に基づいて、または１日の時刻に基づいて空調対象室１３内の熱負荷を判定し、この熱負荷に応じて還気側切替ダンパ２７Ａ、２７Ｂ、２７Ｃの開閉を制御し、還気を流すために使用すべき天井側還気口２６Ａ、２６Ｂ、２６Ｃを決定する。
【００２６】
すなわち、制御装置１７は、空調対象室１３の熱負荷が低い時には、空調機側還気口２９にもっとも近い位置の還気側切替ダンパ２７Ａを開操作し（このとき、還気側切替ダンパ２７Ｂおよび２７Ｃを閉操作）、この還気側切替ダンパ２７Ａが配設された天井側還気口２６Ａを使用する。制御装置１７は、空調対象室１３内の熱負荷の増大に伴い、空調機側還気口２９から遠い位置の還気側切替ダンパ２７Ｂを開操作し（このとき、還気側切替ダンパ２７Ａおよび２７Ｃを閉操作）、この還気側切替ダンパ２７Ｂが配設された天井側還気口２６Ｂを使用する。制御装置１７は、空調対象室１３内の熱負荷が非常に高くなったときに、空調機側還気口２９からもっとも遠い位置の還気側切替ダンパ２７Ｃを開操作し（この時、還気側切替ダンパ２７Ａおよび２７Ｂを閉操作）、この還気側切替ダンパ２７Ｃが配設された天井側還気口２６Ｃを使用する。
【００２７】
空調機側還気口２９を流れる還気の温度に基づいて空調対象室１３内の熱負荷を判定し、還気側切替ダンパ２７Ａ、２７Ｂ、２７Ｃの開操作を切り替えて、使用すべき天井側還気口２６Ａ、２６Ｂ、２６Ｃを決定する場合には、制御装置１７は、使用すべき天井側還気口２６Ａ、２６Ｂ、２６Ｃを決定するための判定温度を予め設定しておき、空調機側還気口２９を流れる還気の温度を、温度センサ２８を用いて監視する。そして、この空調機側還気口２９を流れる還気の温度が上記判定温度に到ったときに、この判定温度に対応する天井側還気口２６Ａ、２６Ｂ、２６Ｃを使用すべく、その天井側還気口２６Ａ、２６Ｂ、２６Ｃ内にそれぞれ配設された還気側切替ダンパ２７Ａ、２７Ｂ、２７Ｃを開操作する。
【００２８】
上述のように還気側切替ダンパ２７Ａ、２７Ｂ、２７Ｃの開閉を制御し、使用すべき天井側還気口２６Ａ、２６Ｂ、２６Ｃを順次切り替えることによって、天井裏空間１４に面したスラブ１１を、天井側還気口２６Ａ、２６Ｂ、２６Ｃの配列区間に基づいて、天井側還気口２６Ａに対応する第１区画スラブ領域３１と、天井側還気口２６Ｂに対応する第２区画スラブ領域３２と、天井側還気口２６Ｃに対応する第３区画スラブ領域３３とに区画し、これらの第１区画スラブ領域３１、第２区画スラブ領域３２、第３区画スラブ領域３３を基準にして、スラブ１１からの蓄熱の放熱を制御する。
【００２９】
つまり、例えば空調対象室１３内を冷房運転する場合、空調対象室１３内の熱負荷が低く、温度センサ２８が検出した還気の温度が低いときには、制御装置１７は、還気側切替ダンパ２７Ａを開操作して（還気側切替ダンパ２７Ｂおよび２７Ｃを閉操作）、空調機側還気口２９にもっとも近い位置の天井側還気口２６Ａを使用する。これにより、空調対象室１３内からの還気は、天井側還気口２６Ａを通って天井裏空間１４内へ流入し、スラブ１１の主に第１区画スラブ領域３１に接触して熱交換され、この第１区画スラブ領域３１に蓄熱された熱の放熱を吸収して空気調和機２０に戻る。従って、この場合には、スラブ１１に蓄熱された熱の放熱量を抑制できる。
【００３０】
やがて、空調対象室１３内の熱負荷が高くなり、温度センサ２８が検出した還気の温度が上昇してきた時には、制御装置１７は、還気側切替ダンパ２７Ｂを開操作して（還気側切替ダンパ２７Ａおよび２７Ｃを閉操作）、空調機側還気口２９から少し遠い位置の天井側還気口２６Ｂを使用する。これにより、空調対象室１３内からの還気は、天井側還気口２６Ｂを通って天井裏空間１４内へ流入し、スラブ１１の第２区画スラブ領域３２および第１区画スラブ領域３１に接触して熱交換され、この第２区画スラブ領域３２、および第１区画スラブ領域３１に蓄熱された熱の放熱を吸収して空気調和機２０に戻り、この空気調和機２０へ戻る還気温度が低下する。
【００３１】
空調対象室１３の熱負荷が極めて高くなり、ピーク熱負荷またはその近傍に到ったときには、温度センサ２８が検出する還気の温度も高温となる。このとき、制御装置１７は、還気側切替ダンパ２７Ｃを開操作して（還気側切替ダンパ２７Ａおよび２７Ｂを閉操作）、空調機側還気口２９からもっとも遠い位置の天井側還気口２６Ｃを使用する。これにより、空調対象室１３内からの還気は、天井側還気口２６Ｃを通って天井裏空間１４内へ流入し、スラブ１１のすべての領域（第３区画スラブ領域３３、第２区画スラブ領域３２および第１区画スラブ領域３１）に接触して熱交換され、スラブ１１の全領域に蓄熱された熱の放熱を吸収して空気調和機２０に戻り、この空気調和機２０へ戻る還気温度が低下する。
【００３２】
上述のようにして実施されるスラブ１１の放熱パターンを、図２において切替ダンパ２７Ａ、２７Ｂ、２７Ｃが設備として無く、常に還気口２６Ａ、２６Ｂ、２６Ｃが使用状態である設備の放熱パターンと比較し、図３を参照して説明する。
【００３３】
先行例として示した図５に示すような構成設備では、スラブ１０１に蓄熱された熱を常にスラブ１０１の全面から放熱させる場合、このスラブ１０１からの放熱の放熱量の百分率は、実験結果（日本建築学会大会学術講演梗概集、２０００．９、１０１９頁）から、午前７：００〜９：００が３３パーセント、午前９：００〜１２：００が３２パーセント、午後１２：００〜１６：００が２６パーセント、午後１６：００〜１９：００が９パーセントであった。
【００３４】
これに対し、スラブ１１を本実施の形態のように第１区画スラブ領域３１、第２区画スラブ領域３２、第３区画スラブ領域３３に区画し、制御装置１７が一日の時刻に基づいて、午前７：００〜９：００に還気側切替ダンパ２７Ａを開操作し、天井側還気口２６Ａを使用状態として、スラブ１１の第１区画スラブ領域３１のみから放熱させ、午前９：００〜１２：００に還気側切替ダンパ２７Ｂを開操作し、天井側還気口２６Ｂを使用状態として、スラブ１１の第２区画スラブ領域３２および第１区画スラブ領域３１から放熱させ、午後１２：００〜１９：００に還気側切替ダンパ２７Ｃを開操作し、天井側還気口２６Ｃを使用状態として、スラブ１１の全て、つまり第３区画スラブ領域３３、第２区画スラブ領域３２および第１区画スラブ領域３１から放熱させる場合には、スラブ１１からの放熱量の百分率は次のようになる。
【００３５】
この放熱量の百分率の試算は、上記実験結果から、ある夏期代表日の昼間の放熱パターンを基にして算出したものであり、午前７：００〜９：００が１１パーセント、午前９：００〜１２：００が１８パーセント、午後１２：００〜１９：００が７１パーセントである。このように、本実施の形態では、上記従来技術に比べ、空調対象室１３内の熱負荷がピークまたはピーク付近となる午後の時間帯（１２：００〜１９：００）に、スラブ１１から天井裏空間１４内を流れる還気へ２倍の熱量が放熱されることになる。
【００３６】
従って、上記実施の形態によれば、次の効果（１）および（２）を奏する。
（１）天井側還気口２６Ａ、２６Ｂ、２６Ｃのそれぞれの還気側切替ダンパ２７Ａ、２７Ｂ、２７Ｃの開操作を、空調対象室１３内の熱負荷の増大に伴い、空調機側還気口２９に近い位置の天井側還気口から遠い位置の天井側還気口へと順次切り替えることから、天井裏空間１４に面したスラブ１１を、複数の天井側還気口２６Ａ、２６Ｂ、２６Ｃの配列区間に基づいて第１区画スラブ領域３１、第２区画スラブ領域３２、第３区画スラブ領域３３と区画し、これらの第１区画スラブ領域３１、第２区画スラブ領域３２、第３区画スラブ領域３３を基準にして、スラブ１１に蓄熱された熱の放熱を実施できる。このため、空調対象室１３内の熱負荷が低く、スラブ１１からの蓄熱の放熱をそれ程必要としない場合には、スラブ１１のうち空調機側還気口２９に近い第１区画スラブ領域３１に蓄熱された熱の放熱を利用でき、また空調対象室１３内の熱負荷が高い場合には、スラブ１１の複数の第２区画スラブ領域３２および第１区画スラブ領域３１、または第３区画スラブ領域３３、第２区画スラブ領域３２および第１区画スラブ領域３１に蓄熱された熱の放熱を利用する。これによって、スラブ１１に蓄熱された熱の放熱を効果的に制御できるので、この放熱を特に利用したいピーク熱負荷時などに多くの放熱量を利用でき、この結果、ピーク熱負荷時などの熱負荷の高いときに空気調和機２０が処理すべき熱負荷を低減できる。
（２）空調対象室１３内の熱負荷が低く、スラブ１１からの蓄熱の放熱をそれ程必要としない場合に、従来技術のように、天井裏空間１４内に配設された専用のダクト（天井裏還気ダクト１０６）を用いて、空調対象室１３内からの還気を空気調和機２０へ導く必要がないので、天井裏空間１４に上記専用のダクトを設置する必要がなく、設備コストの上昇を招くことがない。
【００３７】
【Ｂ】第二の実施の形態（図４）
図４は、本発明にかかる空気調和システムの第二の実施の形態が適用された躯体蓄熱式の空気調和システムにおける還気設備を示す側断面図である。この第二の実施の形態において、前記第一の実施の形態と同様な部分は、同一の符号を付すことにより説明を省略する。
【００３８】
この第二の実施の形態の空気調和システム４０が前記空気調和システム１８と異なる点は、隣接する天井側還気口２６Ａ、２６Ｂ、２６Ｃ間に仕切板４４が配置されたことである。これらの仕切板４４は、スラブ１１を第１区画スラブ領域３１、第２区画スラブ領域３２、第３区画スラブ領域３３に区画した境界にほぼ対応して設置され、天井裏空間１４を、第１区画スラブ領域３１に対応する第１天井裏空間４１、第２区画スラブ領域３２に対応する第２天井裏空間４２、第３区画スラブ領域３３に対応する第３天井裏空間４３にそれぞれ区画する。第１天井裏空間４１内に天井側還気口２６Ａが、第２天井裏空間４２内に天井側還気口２６Ｂが、第３天井裏空間４３内に天井側還気口２６Ｃがそれぞれ臨んで配置される。
【００３９】
空調対象室１３内からの還気が流れている天井側還気口２６Ａ、２６Ｂ、２６Ｃ（例えば天井側還気口２６Ａ）よりも空調機側還気口２９から遠く離れた位置の天井側還気口２６Ａ、２６Ｂ、２６Ｃ（例えば天井側還気口２６Ｂ、２６Ｃ）に対応する第１天井裏空間４１、第２天井裏空間４２、第３天井裏空間４３（例えば第２天井裏空間４２、第３天井裏空間４３）内の空気は、仕切板４４により堰止められて、還気が流れている天井側還気口２６Ａ、２６Ｂ、２６Ｃ（例えば天井側還気口２６Ａ）から空調機側還気口２９へ向かうその還気に誘引されて混合されることが防止される。特に、夏期スラブ１１に冷熱を蓄熱した場合、第１天井裏空間４１、第２天井裏空間４２、第３天井裏空間４３内の空気は、上記冷熱により重くなってそれぞれの下層に滞留する。この滞留空気は仕切板４４に堰止められ、天井側還気口２６Ａ、２６Ｂ、２６Ｃを流れて空調機側還気口２９へ向かう還気により誘引されず、滞留状態が保持されて、その冷熱が利用されることがない。
【００４０】
したがって、上記実施の形態によれば、前記第一の実施の形態の効果（１）及び（２）に加え、次の効果（３）を奏する。
特に天井裏空間１４に面したスラブ１１に冷熱を蓄熱する場合、この冷熱は天井裏空間１４内の下層に沈む傾向にある。天井裏空間１４内において隣接する天井側還気口２６Ａ、２６Ｂ、２６Ｃ間に仕切板４４が設置されて、天井裏空間１４が第１天井裏空間４１、第２天井裏空間４２、第３天井裏空間４３に区画されたことから、還気が流れている天井側還気口２６Ｂよりも、空調機側還気口２９に対して遠い位置にある天井側還気口２６Ｃに対応する第３天井裏空間４３内の空気は、仕切板４４の作用で、還気が流れている天井側還気口２６Ｂから空調機側還気口２９へ向かうその還気に誘引されて混合されることがない。また、還気が流れている天井側還気口２６Ａよりも、空調機側還気口２９に対し遠い位置にある天井側還気口２６Ｂ、天井側還気口２６Ｃにそれぞれ対応する第２天井裏空間４２、第３天井裏空間４３内の空気は、仕切板４４の作用で、還気が流れている天井側還気口２６Ａから空調機側還気口２９へ向かうその還気に誘引されて混合されることがない。このため、空調機側還気口２９から遠い位置の天井側還気口２６Ｂ、天井側還気口２６Ｃを使用する場合に、未だ利用されていない天井裏空間１４内の冷熱を効果的に利用できるので、このとき空気調和機２０が処理すべき熱負荷を低減できる。
【００４１】
以上、本発明を上記実施の形態に基づいて説明したが、本発明はこれに限定されるものではない。
例えば、上記両実施の形態では、天井１２に三個の天井側還気口２６Ａ、２６Ｂおよび２６Ｃが形成されるものを述べたが、これらの天井側還気口は二個または四個以上であっても良い。
【００４２】
また、図２の二点鎖線に示すように、天井側還気口２６Ａ、２６Ｂ、２６Ｃのそれぞれにおける天井裏空間１４内には、空調機側還気口２９へ向かう、または空調機側還気口２９から離れる方向に角度調整可能な可動ダクト３４が設置され、制御装置１７がこの可動ダクト３４の角度を、温度センサ２８により検出された空調機側還気口２９を流れる還気の温度、または一日の時刻により、空調対象室１３内の熱負荷に応じて変化させるよう制御しても良い。
【００４３】
【発明の効果】
本発明に係る空気調和システムによれば、ピーク熱負荷時などの熱負荷の高い時に空気調和機が処理すべき熱負荷を低減できる。また、この空気調和システムによれば、設備コストの増大を回避できる。
本発明に係る空気調和システムにおける蓄熱の放熱量制御方法によれば、ピーク熱負荷時などの熱負荷の高い時に空気調和機が処理すべき熱負荷を低減できる。また、この空気調和システムにおける蓄熱の放熱量制御方法によれば、設備コストの増大を回避できる。
【図面の簡単な説明】
【図１】本発明に係る空気調和システムの第一の実施の形態が適用された躯体蓄熱式の空気調和システムにおける主に給気設備を示す側断面図である。
【図２】図１の躯体蓄熱式の空気調和システムにおける還気設備を示す側断面図である。
【図３】（Ａ）が図１および図２の空気調和システムの放熱パターンを、（Ｂ）が、図５に示す従来の空気調和システムの放熱パターンをそれぞれ示す図である。
【図４】本発明に係る空気調和システムの第二の実施の形態が適用された躯体蓄熱式の空気調和システムにおける還気設備を示す側断面図である。
【図５】従来の躯体蓄熱式の空気調和システムを示す側断面図である。
【符号の説明】
１０………建物、１１………スラブ、１２………天井、１３………空調対象室
１４………天井裏空間、１５………給気設備、１６………還気設備
１７………制御装置、１８………空気調和システム、１９………給気口
２０………空気調和機、２１………給気ダクト
２６Ａ、２６Ｂ、２６Ｃ………天井側還気口
２７Ａ、２７Ｂ、２７Ｃ………還気側切替ダンパ、２８………温度センサ
２９………空調機側還気口、３０………還気ダクト、
３１………第１区画スラブ領域、３２………第２区画スラブ領域
３３………第３区画スラブ領域、４０………空気調和システム
４１………第１天井裏空間、４２………第２天井裏空間
４３………第３天井裏空間、４４………仕切板
【図１】
0004310722.tif 000002
【図２】
0004310722.tif 000003
【図３】
0004310722.tif 000004
【図４】
0004310722.tif 000005
【図５】
0004310722.tif 000006